(57)【要約】【課題】チューナブルマイクロリングフィルタを実装する。【解決手段】  本発明の実施形態によれば、光通信システムのためのチューナブルフィルタは、第２の導波路（１１２）とともにパターンを形成する第１の導波路（１１０）と、第１の導波路（１１０）および第２の導波路（１１２）と結合された共振器（１１４）と、共振器（１１４）は非線形光学材料から構成されており、第１の導波路（１１０）、第２の導波路（１１２）および共振器（１１４）を挟持している電極構造（２１４、２１６）と、電極構造（２１４、２１６）は、チューニング信号を受信し、チューニング信号に応答して共振器の有効指数を調整するように適応されており、第１の導波路（１１０）、第２の導波路（１１２）、共振器（１１４）および電極構造（２１４、２１６）を支持している基板（１３０）とを備える。
2006510952.tif 000002
【特許請求の範囲】
【請求項１】
光通信システムのためのチューナブルフィルタであって、フィルタは、
第２の導波路１１２とともにパターンを形成する第１の導波路１１０と、
第１の導波路１１０および第２の導波路１１２と結合された共振器１１４と、共振器は非線形光学材料から構成されており、
第１の導波路１１０、第２の導波路１１２および共振器１１４を挟持している電極構造２１４、２１６と、電極構造２１４、２１６は、チューニング信号を受信し、チューニング信号に応答して共振器１１４の有効指数を調整するように適応されており、
第１の導波路、第２の導波路、共振器および電極構造を支持している基板１３０とを含む、フィルタ。
【請求項２】
チューニング信号は電界より構成される、請求項１に記載のフィルタ。
【請求項３】
チューニング信号は温度の変化より構成される、請求項１に記載のフィルタ。
【請求項４】
第１の導波路および第２の導波路は両方ともシングルモード導波路１１０、１１２より構成される、請求項１に記載のフィルタ。
【請求項５】
第１の導波路および第２の導波路は十字形パターンを形成する１１０、１１２、請求項１に記載のフィルタ。
【請求項６】
共振器１１４は電気光学活物質より構成される、請求項１に記載のフィルタ。
【請求項７】
共振器はマイクロリング共振器１１４である、請求項１に記載のフィルタ。
【請求項８】
共振器はマイクロディスク共振器である、請求項１に記載のフィルタ。
【請求項９】
電極構造は第１の頂部電極２１４および第２の底部電極２１６より構成される、請求項１に記載のフィルタ。
【請求項１０】
チューニング信号を制御するための外部電子制御をさらに含む、請求項１に記載のフィルタ。
【請求項１１】
光通信システムのための全光学チューナブルフィルタであって、フィルタは、
入力信号を受信する第１の導波路６１２と、
フィルタリング機能を実行する第２の導波路６１０と、第２の導波路６１０は第１の導波路６１２とともにパターンを形成しており、
第１の導波路６１２および第２の導波路６１０と結合された共振器６１４と、共振器は非線形光学材料より構成されており、共振器６１４は共振器の有効指数を調整するように適応されており、
第１の導波路、第２の導波路および共振器を支持している基板とを含む、フィルタ。
【請求項１２】
共振器６１４は、所定のしきい値を上まわる強度を有する少なくとも１つのパルスを識別し、識別された少なくとも１つのパルスをろ波する、請求項１１に記載のフィルタ。
【請求項１３】
第２の導波路６１０は識別された少なくとも１つのパルスをドロップするためのドロップポート６２６を備える、請求項１２に記載のフィルタ。
【請求項１４】
共振器６１４は波長をろ波するために有効指数を変更する制御信号５２６を受信するように適応されており、制御信号５２６はろ波すべき波長を指示する、請求項１１に記載のフィルタ。
【請求項１５】
制御信号５２６は強度に基づいている、請求項１４に記載のフィルタ。
【請求項１６】
制御信号５２６はスペクトルに基づいている、請求項１４に記載のフィルタ。
【請求項１７】
共振器６１４は電気光学活物質より構成される、請求項１１に記載のフィルタ。
【請求項１８】
非線形光学材料は、光エネルギーが共振器６１４に適用された時にその屈折率が変化する材料より構成される、請求項１１に記載のフィルタ。
【請求項１９】
共振器はマイクロリング共振器６１４である、請求項１１に記載のフィルタ。
【請求項２０】
共振器はマイクロディスク共振器である、請求項１１に記載のフィルタ。
【請求項２１】
光通信システムのためのチューナブルフィルタであって、フィルタは、
第２の導波路１１２とともにパターンを形成する第１の導波路１１０と、
第１の導波路１１０および第２の導波路１１２と結合された共振器１１４と、共振器は圧電性材料から構成されており、
第１の導波路１１０、第２の導波路１１２および共振器１１４を挟持している電極構造２１４、２１６と、電極構造２１４、２１６は、電圧信号を受信し、電圧信号に応答して共振器の有効指数を調整するように適応されており、
第１の導波路、第２の導波路、共振器および電極構造を支持している基板１３０とを含む、フィルタ。
【発明の詳細な説明】
【技術分野】
【０００１】
本発明は、一般にマイクロリングフィルタに、より詳しくは、光波長分割多重伝送方式（ＷＤＭ）／密波長分割多重伝送方式（ＤＷＤＭ）通信システムのためのチューナブルマイクロリングフィルタを実装するための技法に関する。
【背景技術】
【０００２】
光ネットワークには、複数の発信元から複数の宛先へ光媒体によりデータを同時に伝送することによって伝送帯幅を増やすために、種々の多重化方式が使用され得る（例えば、ＷＤＭ、超高密度ＷＤＭなど）。一般に、複数の発信元からのデータは、複数の異なる宛先に向けて意図され得る。従って、フィルタ、スイッチ、カプラ、ルータおよび／または他のデバイスを用いて、種々のデータを複数の意図された宛先に選択的にスイッチし経路指定することが必要である。光信号は一般に複数の波長を含んでおり、各波長は複数の異なる発信元からのデータを表現し得る。光ネットワークは、他の波長とは分離された各波長（例えば各々の別個のデータソース）をネットワークの種々の経路によって送り出すことができなければならない。スイッチングおよび／またはフィルタリング機能が、意図された宛先への所要の波長の経路指定を助成し、さらにネットワーク（または他の）障害の場合には経路指定し直すことを助成し、それによってネットワークの輻輳を軽減する。
【０００３】
波長アド／ドロップ（ａｄｄ／ｄｒｏｐ）フィルタは、現在の光ＷＤＭ／ＤＷＤＭ通信システムにおいて一般的な構成要素である。平面分散性素子が、チップサイズのフォトニック回路においてＤＷＤＭ素子を作製するために通常要求される。ＤＷＤＭ信号の１チャネルにアクセスし他のチャネルを妨害しないチャネルドロッピングフィルタは、ＤＷＤＭ通信にとって重要である。共振フィルタは、これらのフィルタが所定のデバイスサイズについて大きい自由スペクトル域（ＦＳＲ）を伴い狭い線幅を潜在的に実現できることから、魅力的な候補である。
【０００４】
波長アド／ドロップフィルタは、異なる波長を光伝送線路に付加する、またはそこから取り出すことを可能にする。アド／ドロップフィルタは、選定した波長を伝送線路に付加する、またはそこから取り出すためにオン／オフにスイッチされるように設計され得て、そしてさらに調整可能であるように設計され得て、例えば、単一のデバイスが多くの異なる波長のうちのいずれか１つを付加する、または取り出すように設計され得る。アレイ導波路回折格子（ＡＷＧ）といった現在のフィルタ構造は、高クロストーク、周波数不感受性および全体的に大きいサイズといった多様な物理的な限界を抱えており、それらが一部のフィルタを大規模集積に不適格にしている。
【０００５】
全体的システムの複雑さおよび、光媒体において必要な機能性を生成するために適切な構造を実現する上での困難さゆえに、現在の光ＷＤＭ／ＤＷＤＭ通信システムを調整および再設定（ｒｅｃｏｎｆｉｇｕｒｅ）することは、一般に極めて難しい。加えて、安定性は多くの場合にこれらの通信システムにおいて維持することが難しい。現在の技術は、マイクロリングフィルタ構造を効果的に調整するための解決策を実証していない。受動マイクロリングフィルタは、光集積回路を実装するために必要な精度および均一性を得る際の困難さにつながる空洞の共振性およびその温度感受性によって、作製プロセスへの厳しい制約が課せられている。さらに、安定性を維持し、現在の光ＷＤＭ／ＤＷＤＭ通信システムを再設定することは、通常、極めて高コストで複雑な設計を要求する。
【特許文献１】ＷＯ０１／３８９０６Ａ
【発明の開示】
【発明が解決しようとする課題】
【０００６】
超高速通信には、通常、光またはフォトニックシステムが要求されるか、または少なくとも好ましい。しかし、システムにおける特定の電子素子が、これらのシステムが動作する速度を制限している。さらに、現在の光またはフォトニック解決策は、かさ高で、高コストかつ複雑であり、限られた仕様を伴う。その結果、限定された全光学的解決策がフォトニック通信用途にもたらされているにすぎない。シリカおよび半導体といった特定の材料が、それらの作製の容易さおよび相対的な光学品質（例えば、高い指数）のために、マイクロ共振器構想において具体化されてきた。しかし、これらの材料は一般に、低い非線形光学係数を有し、チューナブルマイクロ共振器といった小型設計には十分ではない。
【０００７】
上記および他の短所が現在のシステムおよび技法には存在する。
【課題を解決するための手段】
【０００８】
本発明の例示的態様によれば、光通信システムのためのチューナブルフィルタは、第２の導波路とともにパターンを形成する第１の導波路と、第１の導波路および第２の導波路と結合された共振器と、共振器は非線形光学材料から構成されており、第１の導波路、第２の導波路および共振器を挟持している電極構造と、電極構造は、チューニング信号を受信し、チューニング信号に応答して共振器の有効指数を調整するように適応されており、第１の導波路、第２の導波路、共振器および電極構造を支持している基板とを備える。
【０００９】
本発明の例示的な別の態様によれば、光通信システムのための全光学チューナブルフィルタは、入力信号を受信する第１の導波路と、フィルタリング機能を実行する第２の導波路と、第２の導波路は第１の導波路とともにパターンを形成しており、第１の導波路および第２の導波路と結合された共振器と、共振器は非線形光学材料より構成されており、共振器は共振器の有効指数を調整するように適応されており、第１の導波路、第２の導波路および共振器を支持している基板とを備える。
【００１０】
ここで、本発明の態様を、添付図面に図示された通りその例示的実施形態に関してより詳細に説明する。本発明は好ましい実施形態に関して以下に説明されるが、本発明がそれらに限定されないことを理解しなければならない。ここでの教示を利用できる当業者は、付加的な具体化、修正および実施形態だけでなく、他の使用分野もまた認識するはずであり、それらは、ここに開示請求される通り本発明の範囲内であり、それらに関して本発明は著しく有用となり得るであろう。
【発明を実施するための最良の形態】
【００１１】
本発明のより完全な理解を助成するために、ここで添付図面に言及する。これらの図面は、本発明を制限するものとして解釈してはならず、例示的にすぎないものであるように意図されている。
【００１２】
本発明の１態様は、光ＷＤＭ／ＤＷＤＭ通信システムにおいて実装された波長アド／ドロップフィルタに向けられる。チャネルアディング／ドロッピングのための、マイクロリング、マイクロディスクおよびマイクロスフィアといった共振フィルタは、平面光波回路と集積され得る。本発明の実施形態によれば、チューナブルマイクロリング（マイクロディスク、マイクロスフィア、または他の類似構造の）フィルタは、集積パターン化電極を含み得る。マイクロリングフィルタは例えば、電気光学活物質といった有機または無機非線形光学材料によって作製され得る。その結果、これらのマイクロリングフィルタの有効指数は、チューニング信号（例えば外部電界または温度変化）がパターン化電極に適用された時に調整され得る。本発明の１実施形態では、アゾ染料および液晶といった特定の非線形光学（ＮＬＯ）ドーパントが利用されるポリマーベースの手法が提供され、それによって調整可能性および先端的性能を可能にする。パターン化電極間に種々の電圧を印加する間に、マイクロリングフィルタの有効指数は、チャネルのそれと同様に、変更され得る。その結果、本発明のフィルタの出力波長は調整され得る。
【００１３】
本発明の別の態様によれば、ＮＬＯ材料より構成される全光学チューナブルマイクロリングフィルタが、自己フィルタリングまたは制御フィルタリングによって達成され得るフィルタリング目的のために使用され得る。これらのマイクロリングは、有機または無機非線形光学材料を用いて作製され得る。本発明の実施形態によれば、全光学マイクロリングフィルタの有効指数は、光源により調整され得る。この設計は、コンパクトなフットプリントおよび低パワー収支を高速通信用途に提供する。
【００１４】
図１は、本発明の実施形態に従ったチューナブルマイクロリングフィルタ１００の例である。マイクロリングデバイスは一般に、フォトニック集積回路にコンパクトな高スペクトル分解能のフィルタリングおよびルーティング能力を付与するために導波路構造と適宜に結合され得る、フェーセットのない（ｆａｃｅｔ−ｆｒｅｅ）共振空洞である。図１の例において、基板１３０は、シングルモード導波路１１０および１１２を支持している。十字形機器構成が示されているが、他の機器構成も実装され得る。シングルモード導波路１１２は、入力ポート１２０およびスループットポート１２２を有し得る。図１の例では、入力ポート１２０は、波長λ１、λ２、λ３、…λｎを受信し得る。シングルモード導波路１１０は、アドポート１２４およびドロップポート１２６を有し得る。この例では、λ１がドロップポート１２６でドロップされる。その結果、波長λ２、λ３、…λｎは、スループットポート１２２で伝送される。別の例では、波長λがスループットポート１２２による伝送のためにアドポート１２４にアドされ得る。シングルモード導波路１１０および１１２は、マイクロリング共振器１１４を支持し得る。詳細には、マイクロリング共振器１１４は、図１に図示の通り、導波路１１０および１１２と結合され得る。リング機器構成が示されているが、マイクロディスクおよびマイクロスフィアといった他の形状および変種が実装され得る。
【００１５】
図２に図示の通り、頂部パターン化電極２１４および底部パターン化電極２１６が、シングルモード導波路およびマイクロリング共振器を挟持し得る。マイクロリング共振器（例えばマイクロディスク、マイクロスフィアまたは他の類似構造）は、電気光学的、光学的または熱光学的活物質といったＮＬＯ材料で作製され得る。加えて、ＮＬＯ材料は例えば、ポリマー、ドープドガラスおよび半導体を含み得る。ＮＬＯ材料の屈折率は、チューニング信号の適用により変化する。言い換えると、マイクロリングフィルタの有効屈折率は、チューニング信号によって調整され得る。チューニング信号は、電極構造（例えば１対のパターン化電極）に適用された外部電界だけでなく、電極構造に適用された電気／熱源によって発生した温度変化を含み得る。温度変化を含むチューニング信号の場合、マイクロ共振器フィルタのサイズおよび／または形状は、対応して変更され得る。例えば、温度変化により、ＮＬＯ材料は、マイクロ共振器フィルタを膨張、収縮および／または形状変更させ得る。
【００１６】
１例によれば、特定の波長λが、マイクロリング共振器１１４の有効指数を適切に変えることによってドロップポート１２６を通じてドロップされ、それによって意図された波長λをろ波することができる。加えて、マイクロリング共振器１１４の調整可能性は、アドポート１２４を通じた波長λのアディングをさらに増強する。マイクロリング共振器１１４を所望の有効指数（または他の特性）に調整することによって、ポート１２４にアドされた波長λが、ドロップポート１２６を通じて直接スルーで伝播するのではなく、スループットポート１２２を通じて適正に伝播するであろう。電極２１４および２１６は、導電性材料を用いて作製され得る。外部電子制御が、チューニング信号を生成および制御し得る。１例によれば、電界および温度変化は、外部電子制御によってオン／オフにスイッチされ得る。
【００１７】
本発明の別の実施形態によれば、マイクロリング共振器は、圧電性材料を含み得る。圧電性材料は例えば、結晶、絶縁体、半導体、ポリマーおよびハイブリッド材料を含み得る。ハイブリッド材料は、ポリマー材料に結晶、絶縁体および／または半導体材料を埋め込むことを含み得る。他の組合せおよび材料も使用され得る。材料の屈折率は、チューニング信号に応答して変化し得る。例えば、チューニング信号は、圧電性材料の屈折率を変更するための電圧信号を含み得る。チューニング信号はまた、マイクロリング共振器のサイズおよび／または形状を変更し得る。例えば、マイクロリング共振器は、電圧信号に応答して収縮または膨張し得る。加えて、マイクロリング共振器は、形状、寸法および／またはサイズに関してあるレベルの歪みを包含して形状が変化し得る。
【００１８】
図３は、本発明の実施形態に従ったチューナブルマイクロリングフィルタの別の例図である。図３は、チューナブルマイクロリングフィルタの側面図である。図示の通り、マイクロリング共振器１１４は、１つ以上のシングルモード導波路を含み得る、受動導波路コア１１０によって支持されている。マイクロリング共振器１１４が能動導波路コアを含み得るのに対し、シングルモード導波路は受動導波路コアを含み得る。基板（またはクラッディング）１３０が頂部パターン化電極２１４および底部パターン化電極２１６を支持しており、それはさらに、マイクロリング共振器１１４および、１１０によって表現されたシングルモード導波路（単数または複数）を挟持している。
【００１９】
図２および図３に図示の通り、２つの交差した平面シングルモード導波路およびマイクロリング共振器が、頂部パターン化電極と底部パターン化電極との間に挟持され得る非線形光学材料によって作製され得る。種々の電極構造が実装され得る。例えば、電極（例えば頂部電極または底部電極）は、電極構造を形成する複数の電極を含み得る。電極間に差電圧を印加している間、マイクロリングの有効指数は、チャネルのそれと同様に変更され得る。このようにして、フィルタの出力波長は調整され得る。加えて、チューナブルフィルタは、現在の光ＷＤＭ／ＤＷＤＭ通信システムの安定性を維持するために使用され得る。例えば、これらのマイクロリング／ディスクフィルタの調整可能性と環境センサおよび／またはフィードバックとを組み合わせることによって、チューニング信号（例えば電界または熱の管理）が、機能性を維持しデバイスの安定性を付与するためにチューナブルマイクロリングに適用され得る。
【００２０】
調整可能性、コンパクトでエネルギー効率的な設計は、現在の複雑で高コストのシステムの問題を最小限または排除し得るとともに、安定性および再設定可能性（ｒｅｃｏｎｆｉｇｕｒａｂｉｌｉｔｙ）といった付加的な特徴を提供し得る。光ＷＤＭ／ＤＷＤＭ用途のためのマイクロリング共振器（または、マイクロディスク、マイクロスフィアなどといった他の共振器構造）に電気光学活物質およびパターン化電極を使用することによる調整可能性は、現在の光ＷＤＭ／ＤＷＤＭ通信システムの調整可能性、安定性の維持および／または再設定の利益を提供する。本発明の実施形態の設計はまた、コンパクトなフットプリントおよび低パワー収支を提供する。ＡＷＧといった従来のデバイスは通常、１〜数インチの長さおよび数インチの幅である。マイクロリング共振器の場合、リング直径は、数十〜数百マイクロメートル（例えば約１０マイクロメートルのリング幅および約１０マイクロメートルのリング厚さ）の範囲となり得る。従って、３２チャネル（例えば波長）の同じ機能について、ＡＷＧのフットプリントは約２×５インチとなるのに対し、３２のマイクロリング共振器（１波長に１つのリング）のフットプリントは約１００×３２００マイクロメートル以内であり、それははるかにコンパクトである。加えて、マイクロリング共振器のサイズは、他のパラメータと同様に、コア／クラッディング材料間の指数コントラスト、屈曲（例えば半径）に起因する損失、導波路とマイクロリング共振器との間の結合状態といった種々のパラメータによって決定され得る。一般に、指数コントラストが高くなればなるほど、リングはより小さくなる。また、導波路とマイクロリング共振器との間に距離および重なり合い長さを含む設計は、十分な結合のために決定され得る。本発明の種々の実施形態の態様は、ファイバ・トゥ・ホーム（ｆｉｂｅｒ−ｔｏ−ｈｏｍｅ）および他のシステムへの現在の光通信システムの用途を拡張および増強する。
【００２１】
本発明の別の実施形態によれば、非線形光学（ＮＬＯ）材料より構成される全光学チューナブルマイクロリングフィルタが、自己フィルタリングまたは制御フィルタリングによって達成され得るフィルタリング目的のために使用され得る。これらのマイクロリングは、カー活物質といった有機または無機非線形光学材料を用いて作製され得る。カー材料は、光エネルギーが適用された時にその屈折率が変化する（例えば、適用された光学強度による指数変化）材料を含み得る。本発明の実施形態によれば、全光学マイクロリングフィルタの有効指数は、光学強度（例えばカー効果）を供給する光源により調整され得る。加えて、全光学マイクロリングフィルタの他の特性も調整され得る。この設計は、コンパクトなフットプリントおよび低パワー収支を高速通信用途に提供する。
【００２２】
図４は、本発明の実施形態に従った全光学フィルタにおける自己フィルタリングの例である。自己フィルタリングは、信号ストリーム内の高強度パルスが本発明のＮＬＯマイクロリング共振器に到達した時に実現され得る。上述の通り、マイクロリング共振器の有効指数（または他の特性）が、光学強度を適用することによって変更され得る。その結果、フィルタの出力波長がリアルタイムで（例えば高強度パルスが識別された時に）調整され得る。図４に図示の通り、パルス列４１２が入力ポートで受信され得る。パルス列４１２は、４２０、４２２および４２４によって示されたように、異なる強度の複数のパルスを含み得る。自己フィルタリングは、共振器によって識別または検出された通り、所定のしきい値より上（または下）の強度を備えるパルスをろ波し得る。この例では、パルス４２０およびパルス４２４は４１４で伝送され得るのに対し、より高い強度を備えるパルス４２２は４１６でろ波され得る。パルス４２０およびパルス４２４はスループットポートを通じて伝送され得るのに対し、パルス４２２はドロップポートを通じてろ波され得る。加えて、本発明の実施形態の自己フィルタリング機能性は、熱的変化を適用することによって達成され得る。
【００２３】
図６は、本発明の実施形態に従った自己フィルタリング能力を備える全光学フィルタ６００の例である。シングルモード導波路６１０および６１２がマイクロリング共振器６１４を支持しており、ここでマイクロリング共振器６１４はＮＬＯ材料を含み得る。入力ポート６２０において、複数の波長を含むパルス列が受信され得る。この例では、波長λ１の信号がろ波され、ドロップポート６２６で別の導波路上にドロップされるはずである。しかし、波長λ１の信号の強度が、マイクロリング共振器６１４によって検出または識別される通りＮＬＯ効果の所定のしきい値に達しない場合、波長λ１のフィルタリングは生じないであろう。
【００２４】
信号の強度が所定のしきい値に達した場合、図７に図示の通り、信号はドロップポート６２６上にろ波される。図７は、本発明の実施形態に従った自己フィルタリング能力を備える全光学フィルタ７００の別の例である。図７では、波長λ１の信号が所定のしきい値より上（または下）の強度を有しており、それにより全光学フィルタ７００は自己フィルタリングによって波長λ１の信号をろ波し、その際、外部の光学的または電気的場は適用されない。
【００２５】
図５は、本発明の実施形態に従った全光学フィルタにおける制御フィルタリングの例である。本発明のこの実施形態では、ポート（例えばドロップポート）を通じてろ波する特定の波長を選択するために制御信号が使用され得る。図５に図示の通り、パルス列５１２が入力ポートにおいて受信され得る。パルス列５１２は、５２０、５２２および５２４によって示されたように、ほぼ類似の強度の複数のパルスを含み得る。制御信号がポート（例えばアドポート）を通じて５１８において受信され得て、制御信号はパルス５２６を含む。受信した制御信号に応答して、パルス５２０およびパルス５２４はスループットポートを通じて５１４で伝送され得るのに対し、パルス５２２はドロップポートを通じて５１６でろ波される。
【００２６】
図８は、本発明の実施形態に従った制御フィルタリング能力を備える全光学フィルタ８００の例である。図８において、波長λ１の信号がドロップポート６２６上にろ波され得る。しかし、波長λ２の制御信号がなければ、フィルタリング動作は生じないであろう。本発明の実施形態によれば、制御信号λＣが、λ１といった特定の波長をドロップポート６２６で選択的にろ波するために、アドポート６２４で受信され得る。例えば、高強度λＣパルスがポート６２４に適用された時に、マイクロリングの有効屈折率は変化するであろう（例えばカー効果）。指数のこの変化は、ドロップポート６２６上への波長λ１のフィルタリングをもたらす。制御信号λＣは、強度に基づくか、またはスペクトル（例えば色）に基づくものとし得る。制御信号は、他の弁別的特徴に基づくものとされ得る。例えば、制御信号に関係する強度に基づき、入力ポート６２０において受信された特定の波長が、ドロップポート６２６でドロップされ得る。別の例では、マイクロリング共振器６１４は紫外（ＵＶ）光に感受性であるとされ得て、その場合、制御信号は波長を選択的にろ波するための特定のＵＶフォーマットを有し得る。
【００２７】
本発明のマイクロリング／ディスク構造を使用することによって、コストを改善しフットプリントを最小限にしながら、光学フィルタの大きなＦＳＲおよび／または狭幅のチャネルが実現され得る。ＮＬＯ材料を用いた全光学フィルタはさらに、例えば１００ＧＨｚを超える超高速度で動作できる能力を増強し得る。マイクロリング／ディスク構造を使用することによって、光学フィルタのコストおよびフットプリントは、所要の性能を維持向上させながら、劇的に低減され得る。
【００２８】
本発明は、ここに記載された特定の実施形態によって範囲が限定されるものではない。実際、ここに記載されたものに加えて、本発明の種々の修正は、上述の説明および添付図面から当業者には明白であろう。従って、そのような修正は、以下の添付請求項の範囲内に該当するように意図されている。さらに、本発明は特定の目的のための特定の環境における特定の具体化の脈絡においてここに記載されたが、当業者はその有用性がそれらに限定されず、本発明があらゆる数の目的のためにあらゆる数の環境において有益に具体化され得ることを認識するであろう。従って、以下に記載される請求項は、ここに開示された通り本発明の完全な生命および精神に鑑みて解釈されなければならない。
【図面の簡単な説明】
【００２９】
【図１】本発明の実施形態に従ったチューナブルマイクロリングフィルタの例である。
【図２】本発明の実施形態に従った電気光学的または熱的チューニングのための付加的な電極を備えるチューナブルマイクロリングフィルタの別の例図である。
【図３】本発明の実施形態に従ったチューナブルマイクロリングフィルタの断面図である。
【図４】本発明の実施形態に従った全光学フィルタにおける自己フィルタリングの例である。
【図５】本発明の実施形態に従った全光学フィルタにおける制御フィルタリングの例である。
【図６】本発明の実施形態に従った自己フィルタリング能力を備える全光学フィルタの例である。
【図７】本発明の実施形態に従った自己フィルタリング能力を備える全光学フィルタの別の例である。
【図８】本発明の実施形態に従った制御フィルタリング能力を備える全光学フィルタの例である。
【符号の説明】
【００３０】
１００  チューナブルマイクロリングフィルタ
１１０、１１２  シングルモード導波路
１１４  マイクロリング共振器
１２０  入力ポート
１２２  スループットポート
１２４  アドポート
１２６  ドロップポート
１３０  基板
２１４  頂部パターン化電極
２１６  底部パターン化電極
４１２  パルス列
４２０、４２２、４２４  パルス
５１２  パルス列
５２０、５２２、５２４  パルス
５２６  パルス
６００  全光学フィルタ
６１０、６１２  シングルモード導波路
６１４  マイクロリング共振器
６２０  入力ポート
６２４  アドポート
６２６  ドロップポート
７００  全光学フィルタ
８００  全光学フィルタ
【図１】
2006510952.tif 000003
【図２】
2006510952.tif 000004
【図３】
2006510952.tif 000005
【図４】
2006510952.tif 000006
【図５】
2006510952.tif 000007
【図６】
2006510952.tif 000008
【図７】
2006510952.tif 000009
【図８】
2006510952.tif 000010
【国際調査報告】
2006510952.tif 000011
2006510952.tif 000012
2006510952.tif 000013
2006510952.tif 000014
2006510952.tif 000015
2006510952.tif 000016